(57)【特許請求の範囲】
【請求項１】
注入樹脂により成形される浴槽の下面に支持用の脚を取り付ける構造において、
浴槽の下面に、設置床面と平行になる取り付け下面を有する厚肉の取り付け部が、浴槽の幅方向に沿って３個以上に分割した形で一体に連成され、浴槽の幅方向両端にある取り付け部には脚位置決め用のリブが突設されていることを特徴とする浴槽の脚取り付け構造。
【請求項２】
注入樹脂により成形される浴槽の下面に支持用の脚を取り付ける構造において、
浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、かつ、浴槽の幅方向両端にある取り付け部には脚位置決め用のリブが突設されていることを特徴とする浴槽の脚取り付け構造。
【請求項３】
注入樹脂により成形される浴槽の下面に支持用の脚を取り付ける構造において、
浴槽の下面に、設置床面と平行になる取り付け下面を有する厚肉の取り付け部が、浴槽のほぼ全幅にわたって形成され、この取り付け部は、多数のスリット状の溝により、浴槽の幅方向に並列する多数本の突条に分割されていることに加え、浴槽の幅方向両端にある突条には、脚位置決め用のリブが突設されていることを特徴とする浴槽の脚取り付け構造。
【請求項４】
請求項２もしくは３に記載の浴槽の脚取り付け構造において、
スリット状の溝が、各取り付け部を横切らないよう、その広がり面の内側に収まる長さに形成されている浴槽の脚取り付け構造。
【請求項５】
注入樹脂により成形される浴槽の下面に支持用の脚を取り付ける構造において、
浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、スリット状の溝の向きが浴槽の側壁から底壁の中央部に向かう方向に設定され、かつ、そのスリット状の溝の底を、浴槽の他の薄肉部分の外面に添うよう、側壁側が深く、底面の中央部側が浅くなる形に形成されていることを特徴とする浴槽の脚取り付け構造。
【請求項６】
注入樹脂により成形される浴槽の下面に支持用の脚を取り付ける構造において、
浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、スリット状の溝の向きが、エア抜き孔に近い箇所の取り付け部では、エア抜き孔に向かう樹脂材料の流れ方向に合わせたことを特徴とする浴槽の脚取り付け構造。
【発明の詳細な説明】
【０００１】
【発明の属する技術分野】
本発明は、樹脂製の浴槽の脚取り付け構造に係り、詳しくは、浴槽の下面に一体に連成される脚の取り付け部の構造に関する。
【０００２】
【従来の技術】
ポリエステルやアクリル等の樹脂の注入により製造される浴槽では、図１７に示すように、下面の長手方向２個所に支持用の脚Ｆが取り付けられる。
【０００３】
この脚Ｆのために、浴槽２１の下面部には厚肉の取り付け部が一体に連成されるのが普通で、従来、その取り付け部は図１８および図１９に示すような形状になっている。
【０００４】
図１８に示す取り付け部２２は、主として広幅の脚Ｆｗに対応するもので、浴槽２１の下面部の左右ほぼ全幅にわたって厚肉に形成されている。
【０００５】
図１９に示す取り付け部２２は、狭幅の脚Ｆｎに対応するもので、浴槽２１の下面部の幅方向２個所にあって、それぞれが厚肉に形成されている。
【０００６】
これらの取り付け部２２は、浴槽２１が設置される床面と平行になる取り付け下面を有しており、この取り付け下面に脚Ｆ（Ｆｗ，Ｆｎ）が水平に取り付けられる。
【０００７】
これに対して、図２０に示すように、浴槽２１に上記のような取り付け部２２を設けない場合もあり、その場合は、浴槽２１の底壁全体が均一の肉厚に形成されており、均一の肉厚の部分に脚Ｆが直接取り付けられる。
【０００８】
【発明が解決しようとする課題】
ところで、図１８や図１９に示すように、浴槽２１の下面部に取り付け部２２を連成して、その取り付け部２２に脚Ｆを取り付けるようにした構造では、取り付け部２２により脚Ｆの取り付け位置が決まり、また、取り付け部２２を介して脚Ｆが所定の水平姿勢に取り付けられるので、脚の取り付け作業を迅速、容易に進めることができるのであるが、取り付け部２２が厚肉で、この部分には多量の樹脂材料が流入するので、材料ロスが多くなる、という問題がある。
【０００９】
しかも、前記の脚の取り付け部２２には、多量の樹脂材料が流入することで、硬化に時間がかかり、成形のスピードアップが図れない、という問題もある。
【００１０】
このうち、図１８のような、浴槽２１の全幅にわたる取り付け部２２は、広幅の脚Ｆｗだけでなく、狭幅の脚Ｆｎの取り付けにも使用できる利点があるものの、上記した問題が顕著で、狭幅の脚Ｆｎ用の取り付け部２２よりも材料ロスが多く、硬化にも時間がかかる。
【００１１】
これに対して、浴槽２１の下面部に厚肉の取り付け部２２を設けずに、浴槽２１の底壁に直接脚を取り付けるようにした構造では、材料ロスや硬化の遅れは生じないものの、浴槽２１の底部が特にわずかな曲率をもって形成されているものでは、脚Ｆを水平に取り付けることが難しくなり、脚Ｆの取り付け作業が面倒になる。
【００１２】
このように、従来の浴槽における脚の取り付け構造は、浴槽に脚の取り付け部を設ける場合でも、設けない場合でも、それぞれに問題があり、いずれかの欠点を受容するしかなかった。
【００１３】
本発明は、上記従来の問題点に鑑み、脚の取り付け作業を困難にすることなく、できるだけ材料ロスを少なくするとともに、成形時間の短縮化を図ることを課題とする。
【００１４】
【課題を解決するための手段】
本発明は、上記課題を達成するために、注入樹脂により成形される浴槽の下面に支持用の脚を取り付ける構造において、以下のような構成を採用した。
【００１５】
注入樹脂により成形される浴槽の下面に支持用の脚を取り付ける構造において、浴槽の下面に、設置床面と平行になる取り付け下面を有する厚肉の取り付け部が、浴槽の幅方向に沿って３個以上に分割した形で一体に連成され、浴槽の幅方向両端にある取り付け部には脚位置決め用のリブが突設されている構成とした。また、浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、かつ、浴槽の幅方向両端にある取り付け部には脚位置決め用のリブが突設されている構成とした。さらに、浴槽の下面に、設置床面と平行になる取り付け下面を有する厚肉の取り付け部が、浴槽のほぼ全幅にわたって形成され、この取り付け部は、多数のスリット状の溝により、浴槽の幅方向に並列する多数本の突条に分割されていることに加え、浴槽の幅方向両端にある突条には、脚位置決め用のリブが突設されている構成とした。
【００１６】
あるいは、浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、スリット状の溝の向きが浴槽の側壁から底壁の中央部に向かう方向に設定され、かつ、そのスリット状の溝の底を、浴槽の他の薄肉部分の外面に添うよう、側壁側が深く、底面の中央部側が浅くなる形に形成されている構成とした。また、浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、スリット状の溝の向きが、エア抜き孔に近い箇所の取り付け部では、エア抜き孔に向かう樹脂材料の流れ方向に合わせた構成とした。
【００１７】
【発明の実施の形態】
（１）第１の実施形態
図１および図２は、本発明の第１の実施形態を示すもので、図１は、第１実施形態に係る脚取り付け構造を有する浴槽の要部の断面図、図２はその底面図である。
【００１８】
これらの図において、符号１は浴槽で、１ａはその側壁、１ｂは底壁、２は脚の取り付け部、Ｆｗは広幅の脚である。
【００１９】
浴槽１は、ポリエステルやアクリル等の樹脂の注入により成形されるもので、その下面に取り付け部２が一体に連成され、この取り付け部２の下面に支持用の脚（この実施形態では広幅の脚Ｆｗ）が接着剤により取り付けられるようになっている。
【００２０】
取り付け部２は、浴槽１の幅方向に沿って少なくとも３個に分割した形で形成されており、取り付け部２，２どうしの間には浴槽１の底壁１ｂ側への凹部３がある。これで、浴槽１の底壁１ｂは、取り付け部２の個所で厚肉になっているが、凹部３の個所では浴槽１の他の部分と同一の薄肉になっている。
【００２１】
そして、各取り付け部２の下面は、脚Ｆｗが接着される取り付け面とされ、これらの取り付け下面は、浴槽１が設置される床面と平行になるように同一面に形成されている。
【００２２】
なお、浴槽１の幅方向に並ぶ取り付け部２，…のうち、両端にある取り付け部２，２には脚位置決め用のリブ４が突設されている。
【００２３】
上記の構成において、取り付け部２の下面には広幅の脚Ｆｗが接着剤により取り付けられる。この場合、広幅の脚Ｆｗとは全幅で接着するものではないので、接着剤が少なくて済む。
【００２４】
また、取り付け部２が幅方向に沿って３個以上に分割されていることで、広幅の脚Ｆｗ用の取り付け部としては、厚肉部分の体積が図１８に示した従来のものよりも小さいため、樹脂材料が少なくて済み、硬化時間も短縮される。
【００２５】
図示例では、取り付け部２は浴槽１の幅方向に沿って３個に分割されているが、それ以上の個数に分割することも可能である。
【００２６】
このような取り付け部２は、広幅の脚Ｆｗに限らず、幅方向両端の取り付け部２，２を利用して、狭幅の脚を取り付けることもできる。
【００２７】
（２）第２の実施形態
図３および図４は本発明の第２の実施形態を示すもので、図３は、第２実施形態に係る脚取り付け構造を有する浴槽の要部の断面図、図４はその底面図である。
【００２８】
この実施形態では、第１実施形態と同様に、浴槽１の下面に、設置床面と平行になる取り付け下面を有する厚肉の取り付け部２が、浴槽１の幅方向に沿って３個に分割した形で一体に連成されているが、各取り付け部２にはそれぞれスリット状の溝５が複数本設けられており、これらのスリット状の溝５により、各取り付け部２は数本の突条に分割されている。
【００２９】
なお、幅方向両端にある取り付け部２，２には、脚の位置決め用リブ４が突設されている。
【００３０】
この第２実施形態では、厚肉の取り付け部２にスリット状の溝５が設けられることで、厚肉部分の体積が一層小さくなり、樹脂材料や接着剤の使用量が減少するばかりでなく、成形の際、取り付け部２の厚肉部分に成形金型の一部が食い込むので、放熱面積が広くなり、硬化時間が大幅に短縮される。
【００３１】
また、スリット状の溝５の深さは、その溝５底面から浴槽１の内壁の底面までの厚さが浴槽１の内外壁面の厚さと略同じになるように設定されることで、取り付け部２での強度を保証している。
【００３２】
なお、図面には、広幅の脚と狭幅の脚Ｆｎとを選択的に取り付けられるよう、浴槽１の幅方向に沿って３個の取り付け部２，…を設けたが、狭幅の脚Ｆｎのみを使用する場合は、中央の取り付け部２を省略して、幅方向両端にのみ取り付け部２を設けてもよい。
【００３３】
また、図３および図４では、取り付け部２を浴槽１の幅方向に分割する向きでスリット状の溝５を設けたが、スリット状の溝５の形成形態はこれに限定されるものではなく、図５に示すように、スリット状の溝５を浴槽１の幅方向と平行に設けてもよいし、また、図６に示すように、格子状に設けてもよい。
【００３４】
（３）第３の実施形態
図７および図８は、本発明の第３の実施形態を示すもので、図７は、第３実施形態に係る脚取り付け構造を有する浴槽の要部の断面図、図８はその底面図である。
【００３５】
この第３実施形態では、浴槽１の下面に、設置床面と平行になる取り付け下面を有する厚肉の取り付け部２が、浴槽１のほぼ全幅にわたって一体に連成されているが、この取り付け部２の下面は、浴槽１が設置される床面と平行になるように同一面に形成されている。よって、この取り付け部２は均一の肉厚ではないが、これには多数のスリット状の溝５が設けられ、これらのスリット状の溝５により、取り付け部２は、浴槽１の幅方向に並列する多数の突条に分割されている。なお、幅方向両端にある突条には脚の位置決め用リブ４が突設されている。
【００３６】
この構成では、広幅の脚Ｆｗと狭幅の脚Ｆｎとを選択的に取り付けられるほか、脚の幅を自由に設定して取り付けることができる。すなわち、脚にスリット状の溝５に嵌まる突起を予め設けておくことで、幅寸法が種々の脚であっても、容易に任意の場所に取り付けることができ、脚の設計変更を容易に行える。
【００３７】
また、取り付け部２が浴槽１のほぼ全幅にわたる大きさであるにもかかわらず、厚肉部分の体積が小さく、樹脂材料や接着剤の使用量が少なくて済み、また、成形の際、金型との接触面積が広いので、硬化時間が短い。
【００３８】
（４）第４の実施形態
注入樹脂により製造される浴槽は、図９に示すように、底壁を上にして成形されるのであって、その場合、成形金型Ｍｕ，Ｍｄ間のキャビティＣに対しては、浴槽のフランジに近い高さ位置に樹脂材料を注入するゲートＧが設定され、上位となる浴槽の底面の一個所にエア抜きの孔Ｈが設定されるのが普通である。そのため、注入された樹脂材料は浴槽の側壁部分から底壁部分へと流入する。
【００３９】
この場合、浴槽の下面に脚の取り付け部を形成したものでは、図１０に示すように、取り付け部に対応するキャビティＣａで樹脂材料の流路が広がっているから、渦流が生じ、取り付け部用のキャビティＣａの隅にエアが溜まることになり、その結果、角の欠けた取り付け部ができるおそれがある。
【００４０】
このようなことは、スリット状の溝を形成した取り付け部についても同様に生じるものと考えられる。
【００４１】
この問題に対処したのが、図１１および図１２に示す第４の実施形態で、図１１は取り付け部を有する浴槽要部の底面図、図１２は、その取り付け部に対応する成形金型の要部の断面図で、（イ）は取り付け部の厚肉部分での断面を、（ロ）はスリット状の溝の部分での断面をそれぞれ示す。
【００４２】
これらの図に示すように、浴槽１の幅方向両端に設けられる取り付け部２であって、スリット状の溝５を有するものについては、スリット状の溝５の向きが浴槽１の側壁１ａから底壁１ｂの中央部に向かう方向に設定され、かつ、そのスリット状の溝５の底を、浴槽１の他の薄肉部分の外面に添うよう、側壁１ａ側が深く、底壁１ｂの中央部側が浅くなる形に形成されている。
【００４３】
これで、成形の際、成形金型Ｍｕ，Ｍｄ間のキャビティＣでは、取り付け部２の厚肉部分に対応する個所で、図１２（イ）に示すように、樹脂材料の流路が広がっているが、それに隣り合うスリット状の溝５の部分では、図１２（ロ）に示すように、流路が他の薄肉部分と同じ広さで、樹脂材料は円滑に流れるから、この部分の流れに引かれて、厚肉部分に入った樹脂材料も滞留することなく、円滑に流れ、エアを溜めることがない。これによって、取り付け部２に対応するキャビティＣａの各部には隙間なく樹脂材料が充填され、欠けのない取り付け部２が成形される。
【００４４】
特に、この第４の実施形態のように、取り付け部２の肉厚が浴槽１の側壁１ａから底壁１ｂの中央部に向かうに従って小さくして、底壁１ｂの中央部側では段差が生じないようにしておけば、強度が保証されるのみならず、注入された樹脂材料の側壁１ａから底壁１ｂへの流れに沿ってエアが確実に排出されるため、エアが溜まることがない。
【００４５】
（５）第５の実施形態
樹脂の注入により成形されるこの種の浴槽は、前記したように、底壁を上にして成形されるが、その際、スリット状の溝を有する取り付け部の形成には、次のような問題の生じることが考えられる。
【００４６】
すなわち、図１３に示すように、成形金型Ｍｕ，Ｍｄ間のキャビティＣのうち、取り付け部に対応するキャビティＣａは、下に開いた空間であり、その上部には、上金型Ｍｕのうち、スリット状の溝を形成する突部が下向きに突出することになる。この場合、スリット状の溝が取り付け部を横切るものであると、取り付け部に対応するキャビティＣａの上部は、上金型の突部で下にのみ開いた数個の小さな空間に仕切られることになり、一旦、これらの仕切り空間内にエアが入り込むと、抜けなくなって、欠けのある取り付け部ができししまうおそれがある。
【００４７】
この問題に対処したのが、図１４および図１５に示す第５の実施形態で、図１４は取り付け部を有する浴槽要部の底面図、図１５は、取り付け部に対応する成形金型の要部の断面図で、スリット状の溝に対応する部分での断面を示す。
【００４８】
この実施形態では、図１４に示すように、スリット状の溝５が取り付け部２を横切らないよう、その長さが取り付け部２の広がり面の内側に収まる値とされて、スリット状の溝５で仕切られる部分が取り付け部２の周縁で互いに連続するようになっている。
【００４９】
このようにすると、取り付け部２に対応するキャビティＣａでは、図１５に示すように、スリット状の溝５を形成する上金型Ｍｕの突部により、キャビティＣａの上部が分断されるようなことはなく、スリット状の溝５の間の空間は、取り付け部２周縁の空間につながる。
【００５０】
このように、取り付け部２に対応するキャビティＣａでは、各部が上側で互いに連通しているから、上側でも樹脂材料の流れが良く、エアが溜まることがなく、欠けのない取り付け部２ができる。
【００５１】
（６）第６の実施形態
スリット状の溝を有する取り付け部を成形する際、スリット状の溝を形成する上金型の突部が樹脂材料の流れを阻害するおそれがあるが、浴槽の底面のエア抜き孔に近い個所では、そのエア抜き孔に向けて樹脂材料が流れるので、図１６の第６実施形態に示すように、エア抜き孔Ｈに近い個所の取り付け部２では、そのスリット状の溝５の向きを、エア抜き孔Ｈに向かう樹脂材料の流れ方向に合わせておくことが望ましい。
【００５２】
【発明の効果】
本発明では、浴槽の下面に、設置床面と平行になる取り付け下面を有する厚肉の取り付け部が、浴槽の幅方向に沿って３個以上に分割した形で一体に連成され、浴槽の幅方向両端にある取り付け部には脚位置決め用のリブが突設され、また、浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、かつ、浴槽の幅方向両端にある取り付け部には脚位置決め用のリブが突設されているので、脚を容易に所定の姿勢に取り付けることができる。
【００５３】
本発明では、浴槽の下面に、設置床面と平行になる取り付け下面を有する厚肉の取り付け部が、浴槽のほぼ全幅にわたって形成され、この取り付け部は、多数のスリット状の溝により、浴槽の幅方向に並列する多数本の突条に分割されていることに加え、浴槽の幅方向両端にある突条には、脚位置決め用のリブが突設されているので、脚を容易に所定の姿勢に取り付けることができる。
【００５４】
本発明では、浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、スリット状の溝の向きが浴槽の側壁から底壁の中央部に向かう方向に設定され、かつ、そのスリット状の溝の底を、浴槽の他の薄肉部分の外面に添うよう、側壁側が深く、底面の中央部側が浅くなる形に形成されているので、成形の際、樹脂材料は円滑に流れるから、エアを溜めることがない。
【００５５】
また、浴槽の下面に、設置床面と平行になる取り付け下面を有する厚肉の取り付け部が、浴槽の幅方向に沿って複数個に分割した形で一体に連成され、各取り付け部にはそれぞれスリット状の溝が複数本設けられ、スリット状の溝の向きが、エア抜き孔に近い箇所の取り付け部では、エア抜き孔に向かう樹脂材料の流れ方向に合わせたので、エア抜き孔に向けて樹脂材料が流れるので、樹脂材料が円滑に流れ、エアを溜めることがない。
【図面の簡単な説明】
【図１】本発明の第１実施形態に係る脚取り付け構造を有する浴槽の要部の断面図。
【図２】上記第１実施形態の浴槽要部の底面図。
【図３】本発明の第２実施形態に係る脚取り付け構造を有する浴槽の要部の断面図。
【図４】上記第２実施形態の浴槽要部の底面図。
【図５】第２実施形態の変形例を示す浴槽要部の底面図。
【図６】第２実施形態の他の変形例を示す浴槽要部の底面図。
【図７】本発明の第３実施形態に係る脚取り付け構造を有する浴槽の要部の断面図。
【図８】上記第３実施形態の浴槽要部の底面図。
【図９】一般の浴槽の成形金型の断面図。
【図１０】取り付け部についての問題点を指摘するための金型要部の断面図。
【図１１】本発明の第４実施形態に係る浴槽の要部の底面図。
【図１２】上記第４実施形態の浴槽の取り付け部に対応する金型要部の断面図で、（イ）は取り付け部の厚肉部分での断面を、（ロ）はスリット状の溝の部分での断面をそれぞれ示す。
【図１３】取り付け部についての他の問題点を指摘するための金型要部の断面図。
【図１４】本発明の第５実施形態に係る浴槽要部の底面図。
【図１５】上記第５実施形態の浴槽の取り付け部に対応する金型要部の断面図で、スリット状の溝に対応する部分での断面を示す。
【図１６】本発明の第６実施形態に係る浴槽要部の底面図。
【図１７】従来の浴槽の一部破断した側面図。
【図１８】脚取り付け構造の従来例を示す浴槽要部の断面図。
【図１９】脚取り付け構造の他の従来例を示す浴槽要部の断面図。
【図２０】脚取り付け構造のさらに他の従来例を示す浴槽要部の断面図。
【符号の説明】
１  浴槽、    ２  取り付け部、    ５  スリット状の溝、
Ｆ  脚（Ｆｗ…広幅の脚、Ｆｎ…狭幅の脚）
【図１】
0003567680.tif 000002
【図２】
0003567680.tif 000003
【図３】
0003567680.tif 000004
【図４】
0003567680.tif 000005
【図５】
0003567680.tif 000006
【図６】
0003567680.tif 000007
【図７】
0003567680.tif 000008
【図８】
0003567680.tif 000009
【図９】
0003567680.tif 000010
【図１０】
0003567680.tif 000011
【図１１】
0003567680.tif 000012
【図１２】
0003567680.tif 000013
【図１３】
0003567680.tif 000014
【図１４】
0003567680.tif 000015
【図１５】
0003567680.tif 000016
【図１６】
0003567680.tif 000017
【図１７】
0003567680.tif 000018
【図１８】
0003567680.tif 000019
【図１９】
0003567680.tif 000020
【図２０】
0003567680.tif 000021